(57)【特許請求の範囲】
【請求項１】
箱本体の天面部から立設する吊下用のフックと識別表示用タブとを備える吊下げ陳列箱であって、
前記フックは、前記天面部の中央部分に配置されて前記箱本体の正面部と平行又は略平行な面に沿って前記天面部から立設しており、
前記識別表示用タブは、前記正面部と対向する方向から見て、前記フックと重なることなく前記フックの右側又は左側のいずれか一方、或いは両方に配置されて、前記フックよりも低い高さで前記天面部から立設しており、
且つ前記識別表示用タブは、前記天面部の前後方向の縁部から離間した中間部分から立設している吊下げ陳列箱。
【請求項２】
前記識別表示用タブは、前記天面部の上方から見て前記フックと同一又は略同一の直線上に配置されて立設している請求項１記載の吊下げ陳列箱。
【請求項３】
前記天面部が平坦な面となっている請求項１又は２記載の吊下げ陳列箱。
【請求項４】
前記箱本体は、前後方向に扁平な直方体形状又は略直方体形状を備えている請求項１〜３の何れかに記載の吊下げ陳列箱。
【請求項５】
前記識別表示用タブは、前記箱本体を構成するブランクの一部を折り曲げて形成される請求項１〜４の何れかに記載の吊下げ陳列箱。
【発明の詳細な説明】
【技術分野】
【０００１】
本発明は、吊下げ陳列箱に関し、特に、吊り下げた状態で前後方向に複数重ねて陳列される吊下げ陳列箱に関する。
【背景技術】
【０００２】
例えば、小物の下着類やその他の各種の商品を店頭に陳列する陳列形態として、商品が収容された扁平な形状の陳列箱を、これの天面部に取り付けた吊り下げ用のフックを介して、陳列棚の奥から手前側に突き出して設けられた陳列棒に吊り下げて陳列するものが知られている。このような陳列形態によれば、商品に関する情報や、広告・宣伝用の装飾等が施された正面部を前方に配置すると共に、陳列棒の前後方向に重ねて吊り下げることによって、多数の陳列箱を、取り出しが容易で且つ安定した状態で、効率良く陳列することが可能になる。
【０００３】
一方、上述のような陳列形態では、例えば同じ商品であってもサイズや色等について異なる属性があることから、このような商品の異なる属性について消費者が明確に認識できるように、陳列箱の正面部に施された商品に関する情報等とは別に、例えば陳列箱の天面部から立設する識別表示用のタブを設けて、消費者が商品を購入する際の利便性を向上させるようにする技術も開発されている（例えば、特許文献１参照）。
【０００４】
特許文献１のタブ付き包装体では、例えば商品サイズを示すタブが、異なる商品サイズ毎に包装体の異なる位置に取り付けられており、陳列棒の前後方向に重ねて包装体が吊り下げられた際に、タブが取り付けられた位置の相違によって、所望のサイズの商品の包装体を、容易に取り出して購入することが可能である。またこれによって、サイズの異なる商品の包装体を、サイズ毎に別の陳列棒から吊り下げることなく、サイズの異なる商品の包装体を混在させた状態で同じ陳列棒から吊り下げても、消費者がサイズの相違を容易に識別できるので、陳列棚の陳列棒による陳列スペースを有効に活用することが可能になる。
【先行技術文献】
【特許文献】
【０００５】
【特許文献１】特開２００４−１７９９８号公報
【発明の概要】
【発明が解決しようとする課題】
【０００６】
しかしながら、特許文献１の吊下げ陳列用の包装体（吊下げ陳列箱）では、識別表示用のタブは、箱本体の天面部の縁部から立設しているので、特に陳列される前の商品の入荷時や、商品を陳列する作業を行なう際に、タブが傾倒することで、これらの作業を行い難くなる場合がある。例えば、多数の商品をまとめて入荷するために、多数の吊下げ陳列箱を互いに密着させて縦横に並べてダンボール箱等に梱包した際に、天面部の縁部に取り付けたタブが折れ曲がって、隣接する一対の吊下げ陳列箱の間に挟み込まれた状態となっていると、識別表示用のタブの表示内容を識別することができなくなって、吊下げ陳列箱の陳列作業等を迅速に行うことが困難になる。
【０００７】
本発明は、天面部に設けられる識別表示用タブを安定した状態で立設させて、識別表示用タブによる識別機能を容易に保持することのできる吊下げ陳列箱を提供することを目的とする。
【課題を解決するための手段】
【０００８】
本発明は、箱本体の天面部から立設する吊下用のフックと識別表示用タブとを備える吊下げ陳列箱であって、前記フックは、前記天面部の中央部分に配置されて前記箱本体の正面部と平行又は略平行な面に沿って前記天面部から立設しており、前記識別表示用タブは、前記正面部と対向する方向から見て、前記フックと重なることなく前記フックの右側又は左側のいずれか一方、或いは両方に配置されて、前記フックよりも低い高さで前記天面部から立設しており、且つ前記識別表示用タブは、前記天面部の前後方向の縁部から離間した中間部分から立設している吊下げ陳列箱を提供することにより、上記目的を達成したものである。
【０００９】
前記識別表示用タブが表示する収容された商品の異なる属性は、例えば商品のサイズ、色等の形態を意味する。例えば、商品のサイズがＬで黄色、同じ商品のサイズがＬで赤は、異なる属性であり、これらの属性をフックの右側又は左側のいずれか一方の前記識別表示用タブに、或いは双方の前記識別表示用タブにサイズと色とを異なる属性として各々表示することによって、消費者がこれらの属性の相違を容易に識別できるようにすることが可能になる。
【００１０】
また、箱本体の正面部と平行又は略平行な面は、正面部が平坦な面である場合には、当該正面部の平坦な面と平行又は略平行な面であり、正面部が曲率面や屈曲面を備える面である場合には、当該正面部に対して正対する方向と垂直な方向を仮想の平坦な正面部として、当該仮想の平坦な正面部と平行又は略平行な面である。
【発明の効果】
【００１１】
本発明の吊下げ陳列箱によれば、天面部に設けられる識別表示用タブを安定した状態で立設させて、識別表示用タブによる識別機能を容易に保持することができる。
【図面の簡単な説明】
【００１２】
【図１】（ａ），（ｂ）は、本発明の好ましい一実施形態に係る吊下げ陳列箱の構成を説明する斜視図である。
【図２】本発明の好ましい一実施形態に係る吊下げ陳列箱を吊り下げて陳列した状態を説明する斜視図である。
【図３】本発明の好ましい一実施形態に係る吊下げ陳列箱を形成するためのブランクの要部平面図である。
【図４】ブランクの一部を折り曲げて識別表示用タブを形成した状態を説明する部分斜視図である。
【発明を実施するための形態】
【００１３】
以下、図面を参照しつつ、本発明を具体的に説明する。図１（ａ），（ｂ）に示す本発明の好ましい一実施形態に係る吊下げ陳列箱１０は、商品として例えば男性用の下着類を箱本体１１に収容し、図２に示すように、例えば陳列棚の奥から手前側に突き出して設けられた陳列棒１４から吊り下げた状態で、店頭に陳列して用いるものである。また、本実施形態では、吊下げ陳列箱１０の箱本体１１の正面部１１ａには、商品に関する情報や、広告・宣伝用の装飾等が施されていると共に、これらの情報や装飾等とは別途に、商品が例えばＭサイズのものであるかＬサイズのものであるかの属性を表示するための、識別表示用タブ１２が設けられていて、消費者が購入する際に商品サイズを容易に識別できるようになっている。
【００１４】
さらに、本実施形態では、吊下げ陳列箱１０が陳列棒１４から吊り下げられた状態においては、Ｍサイズの商品を収容した吊下げ陳列箱１０では、識別表示用タブ１２が吊下用のフック１３の左側に配置される一方で、Ｌサイズの商品を収容した吊下げ陳列箱１０では、識別表示用タブ１２が吊下用のフック１３の右側に配置されるようになっている。これらによって、吊下げ陳列箱１０が陳列棒１３の前後方向に多数重ねて吊り下げられた場合でも、これらの識別表示用タブ１２を介して商品サイズを容易に識別できるようになっている。さらにまた、本実施形態では、識別表示用タブ１４を陳列箱１０の箱本体１１の天面部１１ｂから安定した状態で立設させる機能を備えている。
【００１５】
そして、本実施形態の吊下げ陳列箱１０は、箱本体１１の天面部１１ｂから立設する吊下用のフック１３と識別表示用タブ１２とを備え、陳列棒１４にフック１３を係止して吊り下げた状態で、陳列棒１４の前後方向に複数重ねて陳列される陳列箱であって、フック１３は、天面部１１ｂの中央部分に配置されて箱本体１１の正面部１１ａと平行な面に沿って天面部１１ｂから立設しており、識別表示用タブ１２は、正面部１１ａと対向する方向から見て、フック１３と重なることなくフック１３の右側又は左側のいずれか一方に配置されて、フック１３よりも低い高さで天面部１１ｂから立設している。フック１３の右側に配置された識別表示用タブ１２と左側に配置された識別表示用タブ１２とは、各々箱本体１１に収容された商品の異なる属性として商品サイズを表示するようになっており、且つ識別表示用タブ１２は、天面部１１ｂの前後方向の縁部１１ｃ，１１ｄから離間した中間部分から立設している。
【００１６】
また、識別表示用タブ１２は、天面部１１ｂの上方から見てフック１３と同一又は略同一の直線上に配置されて立設している。
【００１７】
さらに、本実施形態では、箱本体１１は、前後方向に扁平な、直方体形状を備えており、天面部１１ｂは、平坦な面となっている。
【００１８】
本実施形態では、吊下げ陳列箱１０の箱本体１１は、直方体形状を形成可能な所定の形状に裁断された一枚の薄板状のシート材料である板紙製のブランク１５（図３参照）を用いて、直方体形状に組み立てられる。すなわち、ブランク１５は、折り曲げ線１６を介して連接される、正面板１７ａ、一対の側面板１７ｂ、背面板１７ｃ、接合側面板１７ｄ、天面板１７ｅ、一対の側面内側フラップ１７ｆ、差込みフラップ１７ｇ等を含んで構成されており、これらを折り曲げ線１６に沿って折り曲げると共に、例えば接着剤を介して接合側面板１７ｄと一方の側面板１７ｂとを接合したり、差込みフラップ１７ｇを背面板１７ｃの内側に差し込むことで、図１（ａ），（ｂ）に示すような、天面板１７ｅによる平坦な天面部１１ｂを備える、扁平な直方体形状の箱本体１１が形成される。
【００１９】
また、本実施形態では、図３に示すように、天面板１７ｅの中央部分には、例えば長円形状のフック差込接合穴１８が、その長軸方向を正面板１７ａと天面板１７ｅとの間の折り曲げ線１６と平行に配置して開口形成されている。箱本体１１を組み立てた後に、このフック差込接合穴１８にフック部材の基端部１３ａを差し込んで接合することで（図１（ａ），（ｂ）参照）、箱本体１１の天面部１１ｂには、これの中央部分に、陳列棒１４に係止される吊下げ用のフック１３が、箱本体１１の正面部１１ａと平行な面に沿って立設することになる。
【００２０】
さらに、本実施形態では、ブランク１５には、背面板１７ｃの上辺の一方の側端部から折り曲げ線１９ａを介して一体として連設して、タブ形成用フラップ片２０が設けられており、このブランク１５の一部として設けられたタブ形成用フラップ片２０を用いて、識別表示用タブ１２が、天面部１１ｂの前後方向の縁部１１ｃ，１１ｄから離間すると共に、天面板１７ｅの中央部分に設けられた吊下げ用のフック１４と同一又は略同一の直線上に立設して形成されることになる。
【００２１】
すなわち、本実施形態では、タブ形成用フラップ片２０は、背面板１７ｃの上辺と折り曲げ線１９ａを挟んで連続する、天面板１７ｅの幅の略半分の幅を有する矩形形状の正面側ベース部２０ａと、正面側ベース部２０ａと折り曲げ線１９ｂを挟んで連続する、直角台形状の正面側立設部２１ｂと、正面側立設部２０ｂと折り曲げ線１９ｃを挟んで連続する、正面側立設部２０ｂと対称な直角台形状の背面側立設部２０ｃと、背面側立設部２０ｃと折り曲げ線１９ｄを挟んで連続する、天面板１７ｅの幅の略半分の幅を有する矩形形状の背面側ベース部２０ｄとが、背面板１７ｃの上辺と垂直な方向に連設している形状を有している。
【００２２】
一方、天面板１７ｅのタブ形成用フラップ片２０とは反対側の短辺部分には、これの中央部分からフック差込接合穴１８に向けて切り欠かれた、ブランク１５の厚さの略２倍程度の幅を有するタブ差込切欠き２１が形成されている。また、天面板１７ｅのタブ差込切欠き２１を挟んだ両側の部分が、識別表示用タブ１２を立設させる際に、タブ形成用フラップ片２０の正面側ベース部２０ａや背面側ベース部２０ｄを上側から押え付けるための押付け片２２ａ，２２ｂを構成することになる。さらに、天面板１７ｅに折り曲げ線１６を介して連設する差込みフラップ１７ｇは、天面板１７ｅの押付け片２２ｂと隣接する部分が取り除かれていて、天面板１７ｅより短い横幅で設けられている。（6/30修正）
【００２３】
本実施形態によれば、例えば箱本体１１を組み立てる際に、タブ形成用フラップ片２０の正面側立設部２０ｂ及び背面側立設部２０ｃを、裏面同士を密着させるようにして重ね合わせると共に、正面側ベース部２０ａと背面側ベース部２０ｄとを、重ね合わせた立設部２０ｂ，２０ｃに対して直角方向に反対側に折り曲げて、タブ形成用フラップ片２０を、ベース部２０ａ，２０ｄの中間部分から立設部２０ｂ，２０ｃ（識別表示用タブ１２）が立設するＴ字断面形状を備える形状に形成する。そして、図４に示すように、例えばブランク１５の接合側面板１７ｄと一方の側面板１７ｂとを接合する際に、立設部２０ｂ，２０ｃによる識別表示用タブ１２の基端部分を、天面板１７ｅの短辺部分に形成されたタブ差込切欠き２１に差し込むと共に、差し込んだ基端部分から両側に張り出す正面側ベース部２０ａ及び背面側ベース部２０ｄを、タブ差込切欠き２１の両側の天面板１７ｅによる押付け片２２ａ，２２ｂによって上方から押え付けることで、箱本体１１の天面部１１ｂの前後方向の中間部分に、安定した状態で立設する一対の立設部２０ｂ，２０ｃによる識別表示用タブ１２が、フック１３と同一又は略同一の直線上に配置されて形成されることになる。
【００２４】
なお、図３及び図４では、識別表示用タブ１２が吊下用のフック１３の左側に配置されるＭサイズの商品を収容する吊下げ陳列箱１０について記載しているが、識別表示用タブ１２が吊下用のフック１３の右側に配置されるＬサイズの商品を収容する吊下げ陳列箱１０については、図３に示すブランク１５と対称な形状のブランクを用いることによって、Ｍサイズの商品の吊下げ陳列箱１０と同じように形成することができる。
【００２５】
そして、上述の構成を備える本実施形態の吊下げ陳列箱１０によれば、箱本体１１の天面部１１ｂに設けられる識別表示用タブ１２を安定した状態で立設させて、識別表示用タブ１２による識別機能を容易に保持することが可能になる。すなわち、本実施形態によれば、識別表示用タブ１２は、天面部１１ｂの前後方向の縁部１１ｃ，１１ｄから離間したこれらの縁部１１ｃ，１１ｄの中間部分から立設しているので、周囲のものと接触し難く、また周囲のものに押されて傾倒し難くなっていると共に、傾倒した場合でも、天面部１１ｂから下方には折り曲げられることが少ないので、その識別機能を容易に保持することが可能になる。
【００２６】
また、本実施形態によれば、正面側ベース部２０ａ及び背面側ベース部２０ｄを、タブ差込切欠き２１の両側の押付け片２２ａ，２２ｂによって上方から押え付けた状態で、一対の立設部２０ｂ，２０ｃによる識別表示用タブ１２を差込切欠き２１を介して立設させているので、さらに安定した状態で、識別表示用タブ１２を天面部１１ｂの前後方向の中間部分から立設させることが可能になる。
【００２７】
なお、本発明は上記実施形態に限定されることなく種々の変更が可能である。例えば、識別表示用タブが設けられる天面部は平坦な面となっている必要は必ずしもなく、上方に凸となった山形状の天面部等であっても良い。箱本体は、前後方向に扁平な直方体形状又は略直方体形状を備えている必要は必ずしもなく、楕円形状、長円形状、菱形形状等の断面形状を備えるものであっても良い。これらの断面形状の箱本体の場合、正面部と平行又は略平行な面は、長軸方向と平行又は略平行な面と解することができる。さらに、識別表示用タブは、箱本体を構成するブランクの一部を折り曲げて形成されるものである必要は必ずしもなく、例えばブランクとは別に形成した、識別表示用タブの基端部から両側に張り出す一対のベース部を有するＴ字断面形状を有するタブ部材を、接着剤を介して一対のベース部を箱本体の天面部の所定の位置に接合することで、識別表示用タブを天面部の所定の位置から立設させても良い。さらにまた、識別表示用タブは、フックの右側及び左側の両方に立設していても良い。
【符号の説明】
【００２８】
１０  吊下げ陳列箱
１１  箱本体
１１ａ  正面部
１１ｂ  天面部
１１ｃ，１１ｄ  天面部の前後方向の縁部
１２  識別表示用タブ
１３  吊下用のフック
１４  陳列棒
１５  ブランク
１６  折り曲げ線
１７ｅ  天面板
１８  フック差込接合穴
１９ａ，１９ｂ，１９ｃ，１９ｄ  折り曲げ線
２０  タブ形成用フラップ片
２０ａ  正面側ベース部
２０ｂ  正面側立設部
２０ｃ  背面側立設部
２０ｄ  背面側ベース部
２１  タブ差込切欠き
２２ａ，２２ｂ  押付け片
【図１】
0005597461.tif 000002
【図２】
0005597461.tif 000003
【図３】
0005597461.tif 000004
【図４】
0005597461.tif 000005